(57)【要約】      （修正有）【課題】地球環境の悪化を防ぐため、暖房の設定温度を低くすることが行われているが、暖房温度が低く設定された職場でも、背広，ワイシャツ，ネクタイという姿は維持しつつ暖かく仕事をすることが出来る背広用ライナーを提供する。【解決手段】背広の内側に、特別に工夫した取付手段で簡単に着脱できる背広用ライナー１を取り付ける。背広用ライナー１は、全体としてはチョッキのような形状をした上半身包被部２に、取付片５，取付輪状体１０，取付釦１３といった取付手段を設けて構成される。取付片５は、上半身包被部２の背部７の中央上部に設けられる。取付輪状体１０は、上半身包被部２の右前身ごろ８に帯状基体９を介して設けられる。取付釦１３は、左前身ごろ１１に帯状基体１２を介して設けられる。【選択図】図１
0003119750.tif 000002
【実用新案登録請求の範囲】
【請求項１】
右前身ごろ，左前身ごろ及び背部を有し、上部の左右両側に腕通し開口が開けられた全体としてチョッキ状の上半身包被部と、
両端に相互に結合される結合手段が設けられた縦長の細片から成り、その上下方向の真ん中付近が前記背部の中央上部に固着された取付片と、
前記右前身ごろの正面縦方向縁部近くの上下に、背広の上の釦と下の釦との間隔より大なる間隔をおいて開けられた横長の第１の組の貫通穴と、
該第１の組の貫通穴に挿通された端部同志が接続されて無端状とされ、上下の貫通穴を巡って循環移動可能とされた第１の帯状基体と、
紐で構成され背広釦に係合し得る大きさの輪状体であって、該第１の帯状基体の部分の内、前記右前身ごろの表側に出ている部分に、前記左前身ごろの方を向くよう取り付けられた取付輪状体と、
前記左前身ごろの正面縦方向縁部近くの上下に、背広の上の釦穴と下の釦穴との間隔より大なる間隔をおいて開けられた横長の第２の組の貫通穴と、
該第２の組の貫通穴に挿通された端部同志が接続されて無端状とされ、上下の貫通穴を巡って循環移動可能とされた第２の帯状基体と、
背広の釦穴に係合し得る大きさの釦であって、該第２の帯状基体の部分の内、前記左前身ごろの表側に出ている部分に取り付けられた取付釦とを具え、
前記取付片を背広の襟の真後ろの内側にある背広吊下片に取り付け、
前記取付輪状体を背広釦の１つに係合し、
前記取付釦を背広の釦穴の１つに係合することにより
背広の内側に着脱自在に取り付け得るようにしたことを特徴とする背広用ライナー。
【請求項２】
右前身ごろの裏側で上下に循環移動する第１の帯状基体を、その循環移動を妨げることなく覆う第１の裏カバーを設けると共に、
左前身ごろの裏側で上下に循環移動する第２の帯状基体を、その循環移動を妨げることなく覆う第２の裏カバーを設けるようにした
ことを特徴とする請求項１記載の背広用ライナー。
【考案の詳細な説明】
【技術分野】
【０００１】
本考案は、背広の内側に着脱自在に取り付け得るようにした背広用ライナーに関するものである。
【背景技術】
【０００２】
エネルギーの使い過ぎによる地球環境悪化を避けるため、夏の冷房温度を高く設定することが、官民挙げて要望されるようになった。それに伴い職場環境は、従来より暑いものとなって来ている。しかしながら、官公庁や会社等の職場では、服装は我慢して従来のままを維持するのが、職業人として一応の常識となっていた。そのため、特に男性の場合、背広にネクタイ，ワイシャツ姿という従来からの服装が、どうしても手放せないものとされていた。
【０００３】
しかし、このままでは普通の人でも仕事の能率は落ちるし、暑がりの人には夏は苦痛以外の何物でもなくなり、仕事どころではなくなる。そこで、もっと涼しくて軽い服装で仕事が出来るようにし、そういう服装で仕事をしていてもお互い礼を失したことにはならないようにしようとの政府のお声がかりで、いわゆる「クールビズ」と呼ばれる服装が奨励されている。
以前の石油危機のときにも同様の趣旨から「省エネルック」なる服装が提案されたが、これは殆ど普及しなかった。しかし、今回のクールビズは、地球温暖化が一般の人にも次第に実感されて来たこともあり、その時よりは格段に広く普及して来ている。
エネルギー消費を少なくするため、夏に冷房温度を高く設定することが要望されるとなれば、冬には暖房温度を低く設定することが当然に要望される。それに伴い、クールビズならぬウォームビズに関する提案も、いろいろと考えられるようになって来ている。
【考案の開示】
【考案が解決しようとする課題】
【０００４】
男性の職場の服装は、先にも述べたように、背広にネクタイ，ワイシャツ姿が普通であるから、これを守りつつ更に暖かくするには、ワイシャツの下に着る肌着を厚い生地のものにするか、ワイシャツと背広との間にセーター等を着込むことにならざるを得ない。肌着はワイシャツに隠れて外からは見えないが、ワイシャツの上に着たセーター等は外から見える。若い人の中にはこれを親父っぽいとして気にする人もいるし、男のダンディズム等より、ワイシャツの上にセーター等を着るのを潔しとしない人もいる。
このような人にとっては、暖房温度が低く設定された寒い職場で、背広にネクタイ，ワイシャツという姿を維持しつつ暖かく仕事をするのに適した「ウォームビズ」が、なかなか見当たらないという問題点があった。
本考案は、このような問題点を解決することを課題とするものである。
【課題を解決するための手段】
【０００５】
前記課題を解決するため、本考案では、右前身ごろ，左前身ごろ及び背部を有し、上部の左右両側に腕通し開口が開けられた全体としてチョッキ状の上半身包被部と、両端に相互に結合される結合手段が設けられた縦長の細片から成り、その上下方向の真ん中付近が前記背部の中央上部に固着された取付片と、前記右前身ごろの正面縦方向縁部近くの上下に、背広の上の釦と下の釦との間隔より大なる間隔をおいて開けられた横長の第１の組の貫通穴と、該第１の組の貫通穴に挿通された端部同志が接続されて無端状とされ、上下の貫通穴を巡って循環移動可能とされた第１の帯状基体と、紐で構成され背広釦に係合し得る大きさの輪状体であって、該第１の帯状基体の部分の内、前記右前身ごろの表側に出ている部分に、前記左前身ごろの方を向くよう取り付けられた取付輪状体と、前記左前身ごろの正面縦方向縁部近くの上下に、背広の上の釦穴と下の釦穴との間隔より大なる間隔をおいて開けられた横長の第２の組の貫通穴と、該第２の組の貫通穴に挿通された端部同志が接続されて無端状とされ、上下の貫通穴を巡って循環移動可能とされた第２の帯状基体と、背広の釦穴に係合し得る大きさの釦であって、該第２の帯状基体の部分の内、前記左前身ごろの表側に出ている部分に取り付けられた取付釦とを具え、前記取付片を背広の襟の真後ろの内側にある背広吊下片に取り付け、前記取付輪状体を背広釦の１つに係合し、前記取付釦を背広の釦穴の１つに係合することにより、背広の内側に着脱自在に取り付け得るようにした背広用ライナーを提供することとした。
【０００６】
なお、前記背広用ライナーにおいて、右前身ごろの裏側で上下に循環移動する第１の帯状基体を、その循環移動を妨げることなく覆う第１の裏カバーを設けると共に、左前身ごろの裏側で上下に循環移動する第２の帯状基体を、その循環移動を妨げることなく覆う第２の裏カバーを設けるようにしてもよい。
【考案の効果】
【０００７】
本考案の背広用ライナーによれば、背広の内側に簡単な操作により着脱自在に取り付けることが出来、しかもその背広を着用した場合、取り付けたことが外見上殆ど分からないので、背広にネクタイ，ワイシャツという姿を維持しつつ、暖かく仕事をすることが可能となる。
【考案を実施するための最良の形態】
【０００８】
以下、本考案の実施形態を図面に基づいて詳細に説明する。
図１は、本考案にかかわる背広用ライナーを示す図である。図１において、１は背広用ライナー、２は上半身包被部、３，４は腕通し開口、５は取付片、６は結合手段、７は背部、８は右前身ごろ、９は帯状基体、１０は取付輪状体、１１は左前身ごろ、１２は帯状基体、１３は取付釦である。
上半身包被部２は、腕通し開口３，４に腕を通して着用した場合、上半身を覆ってくれる部分である。右前身ごろ８，左前身ごろ１１，背部７等より成り、全体としてはチョッキのような形状をしている。上半身包被部２は、保温性を高めるため、綿や羽毛等を詰めたものとすることが出来る。取付片５両端の結合手段６は、互いに結合し得る手段であって、例えば、面ファスナー，ホック等を用いることが出来る。
【０００９】
背広用ライナー１は、背広の内側に取り付けて使用するわけであるが、背広への取り付けは、取付片５，取付輪状体１０，取付釦１３を用いて行う。まず、これらについて説明する。
（１）取付片５
取付片５は、両端に結合手段６が取り付けられた細長い布片で構成される。取付片５の長手方向の真ん中付近が、背広用ライナー１の背部７の中央上部に取り付けられる。
【００１０】
（２）取付輪状体１０
取付輪状体１０は細い紐で作り、その輪の大きさは、背広の釦に係合し得るような大きさにしておく。使用する紐は、ゴム紐でもよい。この取付輪状体１０は、右前身ごろ８に設けられる縦長の帯状基体９に取り付けられる。帯状基体９の位置は、背広用ライナー１を着用し、その上に背広を着た場合、背広釦の後ろ側に対応する位置とされる。図３を用いて更に詳細に説明する。
【００１１】
図３は、取付輪状体１０が取り付けられている帯状基体９付近の構造を説明する図である。符号は図１のものに対応し、１４は介在片、１５，１６は貫通穴、１７は裏カバーである。図３（１）は帯状基体９付近の正面図であり、図３（２）は図３（１）のＸ−Ｘにおける断面図である。
右前身ごろ８の正面縦方向縁部近くの上下に横長の貫通穴１５，１６が開けられる。貫通穴１５と１６との間の間隔は、背広の上の釦と下の釦との間の間隔よりやや長くする。貫通穴１５，１６に帯状基体９を挿通し、挿通した帯状基体９の端部同志を接続し、無端状とする。右前身ごろ８の表側に出ている帯状基体９に対し、左前身ごろ１１の方を向くように取付輪状体１０を取り付ける。その取付けに当たっては、必要に応じて介在片１４を介在させて行う。
【００１２】
帯状基体９は貫通穴１５，１６に通された無端状のものとされているから、帯状基体９を指で持って矢印Ａのように上下に動かすと、貫通穴１５，１６を巡って循環移動させることが出来、取付輪状体１０の上下方向の位置は、貫通穴１５と１６との間の任意の位置とすることが可能となる。これにより、取付輪状体１０の位置を、取り付け相手の背広釦の位置に合わせることが出来る。
裏カバー１７は、右前身ごろ８の裏側部分に位置する帯状基体９を、その循環移動を妨げることなく覆うように施されたカバーであり、これは着用する場合に帯状基体９が他の着衣や指に引っ掛かったりしないようにするためのものである。従って、必ずしも設けなければならないというものではない。また、右前身ごろ８の断面は斜線で示されているが、ここには、前記したように、必要に応じて綿や羽毛等が詰められる。
【００１３】
（３）取付釦１３
図１に戻るが、取付釦１３は、背広の釦穴に係合し得るサイズの釦とする。この取付釦１３は、左前身ごろ１１に設けられる縦長の帯状基体１２に取り付けられる。帯状基体１２の位置は、背広用ライナー１を着用し、その上に背広を着た場合、背広の釦穴の後ろ側に対応する位置とされる。図４を用いて更に詳細に説明する。
【００１４】
図４は、取付釦１３が取り付けられている帯状基体１２付近の構造を説明する図である。符号は図１のものに対応し、１８，１９は貫通穴、２０は裏カバーである。図４（２）は帯状基体１２付近の正面図であり、図４（１）は図４（２）のＹ−Ｙにおける断面図である。
左前身ごろ１１の正面縦方向縁部近くの上下に横長の貫通穴１８，１９が開けられる。貫通穴１８と１９との間の間隔は、背広の上の釦穴と下の釦穴との間の間隔よりやや長くする。貫通穴１８，１９に帯状基体１２を挿通し、挿通した帯状基体１２の端部同志を接続し、無端状とする。そして、左前身ごろ１１の表側に出ている帯状基体１２に対し、取付釦１３を取り付ける。
【００１５】
帯状基体１２は貫通穴１８，１９に通された無端状のものとされているから、帯状基体１２を指で持って矢印Ｂのように上下に動かすと、貫通穴１８，１９を巡って循環移動させることが出来、取付釦１３の上下方向の位置は、貫通穴１８と１９との間の任意の位置とすることが可能となる。これにより、取付釦１３の位置を、取り付け相手の釦穴の位置に合わせることが出来る。
裏カバー２０は、左前身ごろ１１の裏側部分に位置する帯状基体１２を覆うように施されたカバーであり、これは着用する場合に帯状基体１２が他の着衣や指に引っ掛かったりしないようにするためのものである。従って、必ずしも設けなければならないというものではない。
【００１６】
次に、前記した背広用ライナー１を、背広に取り付ける取り付け方を説明する。
図２は、通常の背広を示す図である。図２において、３０は背広、３１は背広吊下片、３２，３３は背広釦、３４，３５は釦穴である。背広吊下片３１は、襟の真後ろの内側に設けられている（ここにはしばしば襟ネームが施されている）。背広釦３２は釦穴３４に係合され、背広釦３３は釦穴３５に係合される。
このような背広３０に背広用ライナー１を取り付けるには、次のようにする。
（１）取付片５を背広吊下片３１に挿通し、取付片５の端部の結合手段６同志を互いに結合させて、取付片５が離脱しないようにする。
（２）帯状基体９を上下に動かして取付輪状体１０を背広釦３２の位置に合わせ、取付輪状体１０を背広釦３２に係合する。
（３）帯状基体１２を上下に動かして取付釦１３を釦穴３５の位置に合わせ、取付釦１３を釦穴３５に係合する。
図５は、このようにして背広に背広用ライナーを取付けた状態を示す図である。背広用ライナー１を背広３０から取り外す場合は、取付片５，取付輪状体１０，取付釦１３を外せばよいから、背広用ライナー１の着脱は簡単に出来る。
【００１７】
図６は、背広用ライナー１が取り付けられた背広３０の外観を示す図である。背広用ライナー１が取り付けられていない図２の背広３０と比べて相違している点は、取付片５，背広用ライナー１の背部（の一部），取付輪状体１０，取付釦１３が見える点である。これらが外見上の違和感をもたらす可能性がある物であるが、着用した場合、取付片５と背広用ライナー１の背部（の一部）とは着用した人の身体に隠れてしまうし、取付輪状体１０は背広釦３２を背広釦３４に係合すれば隠れてしまう。従って、外見上の違和感をもたらす可能性があるのは取付釦１３だけということになる。
しかし、取付釦１３は、背広３０を着用した場合の上半身の主要部であるところの、顔や胸からは遠く離れた下の方の位置にあるし、本来の背広釦が在る位置に在るわけであるから、外見上、殆ど違和感をもたらすことはない。取付釦１３の形状や色を背広釦３３と同様のものにしたり、或いは透明なプラスチックのものとしたりすれば目立たなくなるから、外見上の違和感をもたらす可能性は更に一層少なくなる。
なお、上例では取付輪状体１０を背広釦３２に係合したが、背広釦３３の方に係合してもよい。同様に、取付釦１３を釦穴３５に係合したが、釦穴３４の方に係合してもよい。
【図面の簡単な説明】
【００１８】
【図１】本考案にかかわる背広用ライナーを示す図
【図２】通常の背広を示す図
【図３】取付輪状体が取り付けられている帯状基体付近の構造を説明する図
【図４】取付釦が取り付けられている帯状基体付近の構造を説明する図
【図５】背広に背広用ライナーを取付けた状態を示す図
【図６】背広用ライナーが取り付けられた背広の外観を示す図
【符号の説明】
【００１９】
１…背広用ライナー、２…上半身包被部、３，４…腕通し開口、５…取付片、６…面ファスナー、７…背部、８…右前身ごろ、９…帯状基体、１０…取付輪状体、１１…左前身ごろ、１２…帯状基体、１３…取付釦、１４…介在片、１５，１６…貫通穴、１７…裏カバー、１８，１９…貫通穴、２０…裏カバー、３０…背広、３１…背広吊下片、３２，３３…背広釦、３４，３５…釦穴
【図１】
0003119750.tif 000003
【図２】
0003119750.tif 000004
【図３】
0003119750.tif 000005
【図４】
0003119750.tif 000006
【図５】
0003119750.tif 000007
【図６】
0003119750.tif 000008